(57)【要約】【課題】特に原子力施設における廃イオン交換樹脂を高い減容率で処理する。【解決手段】所定の容器中で、廃イオン交換樹脂を水と混合して廃イオン交換樹脂スラリーを生成する。次いで、過酸化水素水供給器から、廃イオン交換樹脂スラリーに対して、０℃〜２０℃の温度に調整された過酸化水素水を供給し、廃イオン交換樹脂スラリー中の廃イオン交換樹脂を酸化して分解する。【選択図】図１
2013061296.tif 000002
【特許請求の範囲】
【請求項１】
廃イオン交換樹脂の処理方法であって、
所定の容器中で、前記廃イオン交換樹脂を水と混合して廃イオン交換樹脂スラリーを生成するステップと、
過酸化水素水供給器から、前記廃イオン交換樹脂スラリーに対して、０℃〜２０℃の温度に調整された過酸化水素水を供給し、前記廃イオン交換樹脂スラリー中の廃イオン交換樹脂を酸化して分解するステップと、
を具えることを特徴とする、廃イオン交換樹脂の処理方法。
【請求項２】
前記過酸化水素水を供給している間において、前記容器の外周に配設した温度調整器によって、前記廃イオン交換樹脂スラリーを１００℃〜１４０℃に保持するステップを具えることを特徴とする、請求項１に記載の廃イオン交換樹脂の処理方法。
【請求項３】
前記容器内に前記廃イオン交換樹脂の粒子径よりも小さい孔径を有するフィルターを配置して、前記廃イオン交換樹脂スラリーは、前記容器中の前記フィルター上で生成し、
前記容器内の前記フィルターの下方から前記廃イオン交換樹脂スラリーに向けてガスを供給するステップを具えることを特徴とする、請求項１又は２に記載の廃イオン交換樹脂の処理方法。
【請求項４】
廃イオン交換樹脂の処理装置であって、
前記廃イオン交換樹脂を水と混合して廃イオン交換樹脂スラリーを生成するための容器と、
前記廃イオン交換樹脂スラリーに対して過酸化水素水を供給するための過酸化水素水供給器と、
前記過酸化水素水の温度を０℃〜２０℃の温度に調整するための過酸化水素水温度調整器と、
を具えることを特徴とする、廃イオン交換樹脂の処理装置。
【請求項５】
前記過酸化水素水供給器の供給口を、前記廃イオン交換樹脂スラリーの液面から１０ｃｍ以内の領域に位置させて、前記過酸化水素水を供給するように構成したことを特徴とする、請求項４に記載の廃イオン交換樹脂の処理装置。
【請求項６】
前記過酸化水素水を供給している間において、前記廃イオン交換樹脂スラリーを１００℃〜１４０℃に保持するための、前記容器の外周に配設した温度調整器を具えることを特徴とする、請求項４又は５に記載の廃イオン交換樹脂の処理装置。
【請求項７】
前記容器内に配置した前記廃イオン交換樹脂の粒子径よりも小さい孔径を有するフィルターと、
前記容器内の前記フィルターの下方に連結したガス供給ラインとを具え、
前記廃イオン交換樹脂スラリーは、前記容器中の前記フィルター上で生成し、前記ガス供給ラインを介して、前記容器内の前記フィルターの下方から前記廃イオン交換樹脂スラリーに向けてガスを供給するように構成したことを特徴とする、請求項４〜６のいずれか一に記載の廃イオン交換樹脂の処理装置。
【発明の詳細な説明】
【技術分野】
【０００１】
本発明は、廃イオン交換樹脂の処理方法及び処理装置に関する。
【背景技術】
【０００２】
原子力施設では、復水(発電機のタービン冷却水)の浄化や、炉水の放射能分析や化学成分の分析に粒状イオン交換樹脂や粉末イオン交換樹脂が大量に使用されている。粒状イオン交換樹脂や粉末イオン交換樹脂は、一般に再生処理によって繰り返し使用されるが、繰り返し使用していると次第に処理能力が低下してくるので、イオン交換能力の低くなったイオン交換樹脂は、廃棄処理される。
【０００３】
これらの廃イオン交換樹脂は直接セメントにより固化処理され、または加熱溶融した塩化ポリエチレンとエクストルダー中で混合、混練しペレット廃棄体として貯蔵されている。このペレット廃棄体も、より安定した形態で貯蔵、処分するには、セメントにより固化処理することがより好ましい。
【０００４】
一方、廃イオン交換樹脂をセメント固化するに際しては、一般に廃イオン交換樹脂を減容化した後にセメント固化に供するのが一般的である。
【０００５】
廃イオン交換樹脂を減容する方法としては、焼却法に代表される気体中で酸化分解する方法（乾式法）や、液体中で酸化分解する方法（湿式法）がある。
【０００６】
乾式法では、湿式法と比較して酸化分解に用いられる気体状の酸化剤（例えば空気）が大量に必要になるとともに粉体の処理物が生成する。そのため、湿式法に比べ、廃ガスや粉体を処理するための装置が別途必要となり、イオン交換樹脂の処理装置が全体として大型化・複雑化する傾向がある。
【０００７】
これに対し、湿式法では、酸化剤として扱う量が少量で済む上に酸化分解で生成する生成物が水中に閉じ込められる。そのため、乾式法に比べ、廃棄物のハンドリングが容易なものとなり、イオン交換樹脂の処理装置の小型化・簡素化が図られる。従来、湿式法に基づくイオン交換樹脂の処理技術として、イオン交換樹脂を触媒の存在下で過酸化水素水と共に３００℃以上で反応させるものが提案されている（特許文献１参照）。なお、触媒の存在下で酸素含有ガスを圧入供給して酸化分解させる技術も提案されている（特許文献２参照）。
【０００８】
しかしながら、いずれの方法も廃イオン交換樹脂の減容率は十分でなく、さらに高い減容率を達成することが可能な廃イオン交換樹脂の処理方法及び処理装置の確立が求められている。
【先行技術文献】
【特許文献】
【０００９】
【特許文献１】特開２０００−６５９８６号公報
【特許文献２】特開昭５９−１２８４９９号公報
【発明の概要】
【発明が解決しようとする課題】
【００１０】
本発明の課題は、特に原子力施設における廃イオン交換樹脂を高い減容率で処理することである。
【課題を解決するための手段】
【００１１】
本発明の一態様は、廃イオン交換樹脂の処理方法であって、所定の容器中で、前記廃イオン交換樹脂を水と混合して廃イオン交換樹脂スラリーを生成するステップと、過酸化水素水供給器から、前記廃イオン交換樹脂スラリーに対して、０℃〜２０℃の温度に調整された過酸化水素水を供給し、前記廃イオン交換樹脂スラリー中の廃イオン交換樹脂を酸化して分解するステップと、を具えることを特徴とする、廃イオン交換樹脂の処理方法に関する。
【発明の効果】
【００１２】
本発明によれば、特に原子力施設における廃イオン交換樹脂を高い減容率で処理することができる。
【図面の簡単な説明】
【００１３】
【図１】第１の実施形態における廃イオン交換樹脂の処理装置を示す概略構成図である。
【図２】第２の実施形態における廃イオン交換樹脂の処理装置を示す概略構成図である。
【発明を実施するための形態】
【００１４】
以下、図面を参照して、実施形態を詳細に説明する。
【００１５】
（第１の実施形態）
図１は、本実施形態における廃イオン交換樹脂の処理装置の概略構成を示す図である。
図１に示す廃イオン交換樹脂の処理装置１０は、処理に供する廃イオン交換樹脂スラリーＳが入った容器１１と、容器１１の外周に配設され、廃イオン交換樹脂スラリーＳの温度を制御するための温度調整器としてのヒーター１２とを有している。また、容器１１の右上方に設けられた、例えば図示しないバルブ、流量計及びポンプ等を含む過酸化水素水供給器１３を有している。この過酸化水素水供給器１３には、過酸化水素水供給ラインとしての配管１４が接続されている。
【００１６】
また、配管１４の、過酸化水素水供給器１３の下流側には冷却器１５が接続され、この冷却器１５にはチラー１６が接続されて、チラー１６内のチラー水Ｗが適宜冷却器１５に供給されるようになっている。これにより、過酸化水素水供給器１３を通じて配管１４内を流れる過酸化水素水を所定の温度に冷却できるようになっている。したがって、冷却器１５及びチラー１６は、過酸化水素水温度調整器を構成する。
【００１７】
なお、ここで示す過酸化水素水温度調整器の構成はあくまでも一例であり、例えば配管１４の外周面に冷媒を直接吹き付けるような構成や、恒温槽を配設するような構成としてもよい。
【００１８】
さらに、容器１１の左上方には、容器１１内の廃イオン交換樹脂スラリーＳ中の廃イオン交換樹脂が分解することによって生成したガスを外部に排出するガス排出ラインとしての配管１８が設けられ、配管１８にはバルブ１９が設けられている。
【００１９】
なお、図１に示す廃イオン交換樹脂の処理装置１０を構成する各構成要素（例えば、容器１１や配管１４，１８等）は、耐食性に優れたステンレス鋼等から構成することができる。
【００２０】
次に、図１に示す廃イオン交換樹脂の処理装置１０を用いた廃イオン交換樹脂の処理方法について説明する。
【００２１】
最初に、図１に示すように、処理装置１０における容器１１中に、例えば粉末状あるいは粒状の廃イオン交換樹脂及び水を入れるとともに互いに混合して、廃イオン交換樹脂スラリーＳを生成する。一例として、原子力施設で使用する廃イオン交換樹脂を処理する場合を考えると、代表的なイオン交換樹脂としては、スチレン及びジビニルベンゼンの共重合体樹脂に、イオン交換基としてのスルホン酸基やトリメチルアミン基が付加したものを挙げることができる。この場合、廃イオン交換樹脂スラリーＳを生成するために必要な水の量は、廃イオン交換樹脂の１ｇに対して水４ｇ〜１９ｇである。
【００２２】
次いで、図示しない過酸化水素水ＨＰの供給源より、過酸化水素水供給器１３を介し、過酸化水素水供給ラインとしての配管１４を通じて、容器１１内の廃イオン交換樹脂スラリーＳに対して過酸化水素水ＨＰを供給する。なお、本実施形態において、過酸化水素水供給器１３の供給口とは配管１４の先端開口部１４Ａを意味する。
【００２３】
過酸化水素水ＨＰは、環境温度が高いと自ずから水と酸素とに分解してしまう傾向があり、上述のように廃イオン交換樹脂スラリーＳに供給された後は、廃イオン交換樹脂スラリーＳ中の廃イオン交換樹脂と過酸化水素水ＨＰとの酸化反応によって廃イオン交換樹脂スラリーＳが発熱し、例えば１６０℃〜２００℃となってしまう。
【００２４】
したがって、特に配管１４の先端開口部１４Ａから過酸化水素水ＨＰを連続して供給し、上記酸化反応を連続的に行おうとしても、時間の経過とともに、供給される過酸化水素水ＨＰは上記熱によって加熱されてしまい、水及び酸素に分解してしまうので、連続した酸化処理を行うことができない。このため、廃イオン交換樹脂スラリーＳ中の廃イオン交換樹脂の酸化を十分に行うことができず、廃イオン交換樹脂スラリーＳ、すなわち廃イオン交換樹脂の減容を十分に行うことができない。
【００２５】
また、以下に示すように、上記酸化反応は、１００℃〜１４０℃の温度範囲で行うことが好ましいので、当該温度範囲に加熱された廃イオン交換樹脂スラリーＳからの発熱によっても、過酸化水素水ＨＰの分解傾向は著しく高くなる。したがって、上述のように連続した酸化処理を行うことはさらに困難となり、廃イオン交換樹脂の減容を十分に行うことができない。
【００２６】
しかしながら、本実施形態では、容器１１内の廃イオン交換樹脂スラリーＳに供給する過酸化水素水ＨＰを、配管１４に設けた冷却器１５及びチラー１６からなる過酸化水素水温度調整器で十分に冷却し、配管１４の先端開口部１４Ａから廃イオン交換樹脂スラリーＳに供給する際の温度を０℃〜２０℃とする。
【００２７】
したがって、上述のように、廃イオン交換樹脂スラリーＳ中の廃イオン交換樹脂と過酸化水素水ＨＰとの酸化反応による発熱や、酸化反応を良好に行う温度範囲である１００℃〜１４０℃に設定した際の発熱によっても、過酸化水素水ＨＰの、廃イオン交換樹脂スラリーＳに接触するまでの温度を十分低く保持することができる。この結果、過酸化水素水ＨＰによる廃イオン交換樹脂の酸化反応を連続的に行うことができ、廃イオン交換樹脂の減容を十分に行うことができる。
【００２８】
なお、上記酸化反応による廃イオン交換樹脂の減容は、廃イオン交換樹脂が酸化されることにより、二酸化炭素や水（水蒸気）等に分解されることによって生じるものである。また、このようにして生成した二酸化炭素や水（水蒸気）Ｇ等は、配管１８及びバルブ１９を介して容器１１の外部に排出される。
【００２９】
また、過酸化水素水ＨＰの温度は、例えば配管１４の先端開口部１４Ａ内に設けた温度計により測定する。この温度計は、廃イオン交換樹脂スラリーＳの酸化反応による発熱等の影響を受けないように、廃イオン交換樹脂スラリーＳ側は断熱材で被覆あるいは遮蔽し、過酸化水素水供給器１３から供給される過酸化水素水ＨＰの温度を測定し、この温度をもって上記過酸化水素水ＨＰの温度とする。温度計としては、感部にバイメタルを使用した金属製温度計や、白金を用いた電気式温度計など、汎用のものを用いることができる。
【００３０】
本実施形態では、過酸化水素水供給器１３の供給口である配管１４の先端部１４Ａを廃イオン交換樹脂スラリーＳの液面から１０ｃｍ以内、さらには２ｃｍ以内の領域に位置させることが好ましい。これによって、上記のように冷却された過酸化水素水ＨＰを短時間で廃イオン交換樹脂スラリーＳに接触させることができるので、過酸化水素水ＨＰの、廃イオン交換樹脂スラリーＳに接触するまでの温度をさらに十分低く保持することができる。この結果、過酸化水素水ＨＰによる廃イオン交換樹脂の酸化反応を連続的に行うことができ、廃イオン交換樹脂の減容をより十分に行うことができる。
【００３１】
なお、配管１４の先端部１４Ａは、上述した作用効果を考慮すると、廃イオン交換樹脂スラリーＳの液面に近く配置するほど好ましく、例えば液面に接触させる（液面から０ｃｍの領域）ようにすることもできる。但し、配管１４の先端部１４Ａを廃イオン交換樹脂スラリーＳ内に埋没させると、配管１４の目詰まりや廃イオン交換樹脂スラリーＳ中で気泡が発生してしまい、廃イオン交換樹脂と過酸化水素水ＨＰとを十分に接触させることができず、その結果、廃イオン交換樹脂の酸化反応を十分に行うことができない場合がある。
【００３２】
さらに、本実施形態では、過酸化水素水ＨＰによる廃イオン交換樹脂の酸化反応を１００℃〜１４０℃、さらには１１０℃〜１３０℃の温度範囲で行うことが好ましい。
【００３３】
酸化反応の温度を１００℃未満とすると、酸化処理に要する時間が長時間化し、作業効率が劣化する。一方、酸化反応の温度が高くなると、過酸化水素水ＨＰによる廃イオン交換樹脂の分解率が向上するが、酸化反応の温度の上限を１４０℃とすると、例えば廃イオン交換樹脂の分解率が１０秒間で５％程度となり、酸化処理に要する時間を十分短くすることができる。したがって、酸化反応の温度を１４０℃よりも高くすると、酸化反応が極短時間で終了するため、酸化反応の制御が困難となる。また、適切な酸化反応を行う際に必要となる量以上の過酸化水素水ＨＰを使用することになるので、省資源の観点からも好ましくない。
【００３４】
なお、上述のように加熱下で酸化反応を行う場合、バルブ１９は閉状態とすることもできるし、開状態とすることもできる。但し、廃イオン交換樹脂が分解して生成した二酸化炭素や水（水蒸気）Ｇ等を容器１１から適宜排出させるとともに、過酸化水素水ＨＰを連続的かつ安定的に供給して、廃イオン交換樹脂の酸化反応を連続して行うようにするには、バルブ１９は開状態とすることが好ましい。
【００３５】
以上のように、本実施形態によれば、廃イオン交換樹脂スラリーＳに対して十分な量の過酸化水素水ＨＰを接触させることができ、廃イオン交換樹脂スラリーＳ中の廃イオン交換樹脂を酸化反応を通じて分解することができるので、当該廃イオン交換樹脂の減容を十分かつ効率的に行うことができる。
【００３６】
なお、酸化反応によって分解せずに残留した廃イオン交換樹脂は、適宜、セメント固化に供することになる。セメント固化は、図示しない容器内に廃イオン交換樹脂の残留物、セメント及び混練水を入れた後、例えば撹拌翼を３００ｒｐｍ〜５００ｒｐｍで１０分〜２０分回転させ、廃イオン交換樹脂とセメントとの混練物（セメント混練物）を生成する。
【００３７】
セメント混練物は、例えば生成から１０時間程度時間が経過すると、水和反応によって硬化するようになる。
【００３８】
混練水は通常の市水とすることができる。なお、セメント１ｋｇ当たりに使用する混練水の量は、例えば数百ｍｌのオーダである。
【００３９】
セメントは、例えばアルミナセメント、高炉スラグセメント、フライアッシュセメント及びポルトランドセメントであることが好ましい。これらのセメント材は容易に入手ができるとともに安価であって、かつ海水や化学物質に対して安定であるので、本実施形態のように放射性廃液を固化して安定化させるセメント材として適している。特に、アルミナセメントは、アルミニウムの原料であるボーキサイトと石灰石から作られ、酸化アルミニウムを含むセメントであって、混練後すぐに強い強度を発揮するので、イオン閉じ込め性に優れている。
【００４０】
（第２の実施形態）
図２は、本実施形態における廃イオン交換樹脂の処理装置の概略構成を示す図である。なお、図１に示す廃イオン交換樹脂の処理装置１０の構成要素と類似あるいは同一の構成要素については、同一の符号を用いて表している。
【００４１】
本実施形態の廃イオン交換樹脂の処理装置２０においては、容器１１内の下方において、廃イオン交換樹脂スラリーＳ中の廃イオン交換樹脂の粒子径よりも小さい孔径のフィルター２１が配置され、このフィルター２１上に廃イオン交換樹脂スラリーＳが生成及び保持され、さらに、容器１１のフィルター２１の下方にガス供給ラインとしての配管２２が容器１１の側面に接続されている点で、図１に示す廃イオン交換樹脂の処理装置１０と異なり、その他の構成は処理装置１０と同一である。
【００４２】
図２に示す廃イオン交換樹脂の処理装置２０を用いた廃イオン交換樹脂の処理方法は、次のようにして行われる。
【００４３】
最初に、図２に示すように、処理装置２０における容器１１中に、例えば粉末状あるいは粒状の廃イオン交換樹脂及び水を入れるとともに互いに混合して、容器１１内に配置したフィルター２１上に廃イオン交換樹脂スラリーＳを生成する。フィルター２１の孔径は廃イオン交換樹脂スラリーＳ中の廃イオン交換樹脂の粒子径よりも小さいので、廃イオン交換樹脂スラリーＳはフィルター２１上に保持されることになる。
【００４４】
次いで、図示しない過酸化水素水ＨＰの供給源より、過酸化水素水供給器１３を介し、過酸化水素水供給ラインとしての配管１４を通じて、容器１１内の廃イオン交換樹脂スラリーＳに対して過酸化水素水ＨＰを供給する。このとき、第１の実施形態の場合と同様に、過酸化水素水ＨＰが、廃イオン交換樹脂スラリーＳ中の廃イオン交換樹脂と過酸化水素水ＨＰとの酸化反応による廃イオン交換樹脂スラリーＳの発熱等によって、水及び酸素に分解してしまい、連続した酸化処理を損なうことがないように、配管１４に設けた冷却器１５及びチラー１６からなる過酸化水素水温度調整器で過酸化水素水ＨＰを十分に冷却し、配管１４の先端開口部１４Ａから廃イオン交換樹脂スラリーＳに供給する際の温度を０℃〜２０℃とする。
【００４５】
したがって、廃イオン交換樹脂スラリーＳ中の廃イオン交換樹脂と過酸化水素水ＨＰとの酸化反応による発熱等によっても、過酸化水素水ＨＰの、廃イオン交換樹脂スラリーＳに接触するまでの温度を十分低く保持することができる。この結果、過酸化水素水ＨＰによる廃イオン交換樹脂の酸化反応を連続的に行うことができ、廃イオン交換樹脂の減容を十分に行うことができる。
【００４６】
また、本実施形態においては、上述のような酸化反応を行っている間に、容器１１のフィルター２１の下方に設けた配管２２を介して、アルゴン、ヘリウム等の希ガス類や、空気、酸素、窒素などのガスを供給する。
【００４７】
これによって、容器１１のフィルター２１上に保持された廃イオン交換樹脂スラリーＳ中の廃イオン交換樹脂が攪拌されるようになるので、廃イオン交換樹脂の、上述のようにして供給された過酸化水素水ＨＰとの接触度合いが増す。また、過酸化水素水ＨＰによる廃イオン交換樹脂の酸化反応を第１の実施形態で述べたように加熱下で行う場合、廃イオン交換樹脂の局所加熱を抑制することができる。したがって、上述した酸化反応がより効率的に行われるようになり、廃イオン交換樹脂の減容を効率的に行うことができる。
【００４８】
さらに、配管２２を介して容器１１内に供給するガスを空気や酸素等の酸化性ガスＯＧとすることにより、これらのガスも上記過酸化水素水ＨＰと同様に廃イオン交換樹脂の酸化反応に寄与するようになる。したがって、上記酸化反応に使用する過酸化水素水ＨＰの量を削減することができる。過酸化水素水ＨＰは空気や酸素に比較して高価であるため、上述のように過酸化水素水ＨＰの使用量を削減することにより、目的とする廃イオン交換樹脂の減容を低コストに行うことができる。
【００４９】
但し、配管２２を介して導入した空気や酸素等の酸化性ガスは、過酸化水素水ＨＰと比較して酸化力が弱いので、廃イオン交換樹脂の酸化反応は、上述したように主として過酸化水素水ＨＰで行われることになる。
【００５０】
なお、第１の実施形態と同様に、酸化反応による廃イオン交換樹脂の減容は、廃イオン交換樹脂が酸化されることにより、二酸化炭素や水（水蒸気）等に分解されることによって生じるものである。したがって、生成した二酸化炭素や水（水蒸気）Ｇ等は、配管１８及びバルブ１９を介して容器１１の外部に排出される。また、酸化反応によって分解せずに残留した廃イオン交換樹脂は、適宜、セメント固化に供する。
【００５１】
また、本実施形態では、ガス供給ラインとしての配管２２を容器１１の側面に接続しているが、フィルター２１の下方であれば、容器１１の底面であってもよい。さらに、配管２２は単一ではなく、複数とすることもできる。
【００５２】
その他の特徴及び酸化反応に関する好ましい条件は、第１の実施形態と同じであるので、説明を省略する。
【００５３】
以上のように、本実施形態においても、廃イオン交換樹脂スラリーＳに対して十分な量の過酸化水素水ＨＰを接触させることができ、廃イオン交換樹脂スラリーＳ中の廃イオン交換樹脂を酸化反応を通じて分解することができるので、当該廃イオン交換樹脂の減容を十分かつ効率的に行うことができる。
【００５４】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１０，２０  廃イオン交換樹脂の処理装置
１１  容器
１２  ヒーター
１３  過酸化水素水供給器
１４，１８，２２  配管
１５  冷却器
１６  チラー
１９  バルブ
２１  フィルター  
Ｓ  廃イオン交換樹脂スラリー
Ｗ  チラー水
ＨＰ  過酸化水素水
【図１】
2013061296.tif 000003
【図２】
2013061296.tif 000004